(57)【要約】【課題】乳児や幼児などのユーザーが取り扱っても怪我などの心配のない極めて安全な電子機器の提供を目的とする。【解決手段】本発明の電子機器は、柔軟な収容体と、前記収容体内に内蔵される柔軟な電子部品とからなることを特徴とする。本発明では所要な電子部品を包むための収容体が柔軟であり、且つ電子部品そのものも柔軟とされることから、衝突した場合の衝撃（衝突時の撃力）が小さく抑えられる。また、電子部品そのものが柔軟であることから、逆に収容体自身を必要以上に大きくする必要もなくなり、本発明の電子機器の小型化や軽量化を図ることができる。【選択図】図３
2004024383.tif 000002
【特許請求の範囲】
【請求項１】
柔軟な収容体と、前記収容体内に内蔵される柔軟な電子部品とからなることを特徴とする電子機器。
【請求項２】
前記電子部品は、可とう性を有するスピーカーと、可とう性を有する信号処理部とを含むことを特徴とする請求項１記載の電子機器。
【請求項３】
前記信号処理部は可とう性を有するシート状の配線基板上に実装され、前記配線基板が巻回されて中空部を有して前記収納体内に搭載されることを特徴とする請求項２記載の電子機器。
【請求項４】
前記信号処理部は有機半導体素子を用いてなることを特徴とする請求項２記載の電子機器。
【請求項５】
前記信号処理部は無線通信機能を有することを特徴とする請求項２記載の電子機器。
【請求項６】
前記信号処理部は情報記憶部を有し、該情報記憶部は前記無線通信機能を用いて取得した情報信号を格納できることを特徴とする請求項５記載の電子機器。
【請求項７】
前記電子部品はシート状ポリマー電池を含むことを特徴とする請求項１記載の電子機器。
【請求項８】
前記シート状ポリマー電池は巻回されて中空部を有し前記収納体内に搭載されることを特徴とする請求項７記載の電子機器。
【請求項９】
前記電子部品はリモートコントローラーによって制御可能とされることを特徴とする請求項１記載の電子機器。
【請求項１０】
柔軟な収容体と、前記収容体内に内蔵される柔軟な電子部品と、前記収容体の表面に設けられる柔軟な表示部とからなることを特徴とする電子機器。
【請求項１１】
前記表示部は可とう性を有するシートに形成された表示装置からなることを特徴とする請求項１０記載の電子機器。
【請求項１２】
前記電子部品は、可とう性を有するスピーカーと、可とう性を有する信号処理部とを含むことを特徴とする請求項１０記載の電子機器。
【請求項１３】
前記信号処理部は可とう性を有するシート状の配線基板上に実装され、前記配線基板が巻回されて中空部を有して前記収納体内に搭載されることを特徴とする請求項１２記載の電子機器。
【請求項１４】
前記信号処理部は有機半導体素子を用いてなることを特徴とする請求項１２記載の電子機器。
【請求項１５】
前記信号処理部は無線通信機能を有することを特徴とする請求項１２記載の電子機器。
【請求項１６】
前記信号処理部は情報記憶部を有し、該情報記憶部は前記無線通信機能を用いて取得した情報信号を格納できることを特徴とする請求項１５記載の電子機器。
【請求項１７】
前記電子部品はシート状ポリマー電池を含むことを特徴とする請求項１０記載の電子機器。
【請求項１８】
前記シート状ポリマー電池は巻回されて中空部を有し前記収納体内に搭載されることを特徴とする請求項１７記載の電子機器。
【請求項１９】
前記電子部品はリモートコントローラーによって制御可能とされることを特徴とする請求項１０記載の電子機器。
【発明の詳細な説明】
【０００１】
【発明の属する技術分野】
本発明は音声などの信号を処理可能とする電子機器に関し、特に幼児などが所持していても安全に使用できる電子機器に関する。
【０００２】
【従来の技術】
動物の縫いぐるみや人形などの内部に音声再生装置などを搭載した玩具や機器が従前より存在している。例えばこのような内部に音声再生装置などを搭載した動物の縫いぐるみや人形を乳幼児の玩具として用いた場合、音声再生装置を用いた音声の発生によって乳幼児の成長を更に促進するという機能が加わることになり、小型で軽量の電子回路を内部の搭載することは、最近の半導体集積回路技術の向上から技術的には困難なものでなくなってきている。
【０００３】
このような動物の縫いぐるみや人形などの内部に音声再生装置などを搭載した玩具や機器では、その外部の収容体としては動物や人形の形状を有するスポンジや綿、合成樹脂などの比較的に弾力があり柔軟な素材で構成することが行われている。このような装置の一例としては、例えば特開２００２−２７５７５号公報に記載されるように、表面部が動物等の形態とされ、内部に情報処理機器を配する構造が開示されている。この装置では、柔らかい弾性部や表面部などから成る縫いぐるみで電子機器を覆うようにしているので、ベッドの枕元において仮に顔などをぶつけても問題ないという利点がある。
【０００４】
また、動物や人形の形状ではないものの、柔軟な素材で装置本体を構成し、内部に電子音発生装置を配置したものとしては、例えば特開平１０−２７７２７３号公報に記載されるように、外部を弾力のある素材で包み、その内部に衝撃感知センサー、電源、整形、音声発生装置、アンプ、スピーカーを備えた電子回路を取り付けてなる電子音発生玩具が知られている。この電子音発生玩具では種々のものにぶつけて遊戯を行うように設計されており、衝撃感知センサーがスイッチとなって所要の電子音が発生する。
【０００５】
【発明が解決しようとする課題】
ところが、上述の各電子機器では、全てのユーザーについて種々の利用形態で問題なく使用できる訳ではない。例えば、乳幼児が使用する際は、柔らかい収容体内に電子回路を配した場合であっても、力加減をせずに電子機器を叩いたり或いは投げつけたりすることがあり、外側を構成する柔らかい収容体だけでは内部の固い電子回路部分が固い部分として感じられてしまい、また場合によってはその電子回路部分の固さが怪我や事故などの原因ともなってしまう。また、このような音声発生機器を例えば枕元で使用する場合では、顔などをぶつけても痛さを感じない程度に収容体が十分な柔らかさを有していることが望ましい。
【０００６】
特開２００２−２７５７５号公報に記載される縫いぐるみ形状の電子機器では、表面部についても弾性を有する素材で構成されるが、ボタンやダイヤルなどは柔らかい表面部から突出する構成とされ、やはり幼児が投げつけた場合では危険が伴うことになる。
【０００７】
また、特開平１０−２７７２７３号公報に記載される電子音発生玩具では、現代人のストレスを解消する目的で壁などの障害物に衝突する場合や人に当たる場合を想定しており、人に当たってもその人を傷つけないように構成する旨記載されている。しかしながら、衝撃感知センサーは衝撃度を測るものであるから、小型化はできるもの完全に弾性材で包んでしまうことができず、或る程度人を傷つけることは防止できるものの、力加減をせずに投げつけたりした場合では、人への衝撃が避けられず、特に幼児が使用する場合には問題となる。
【０００８】
そこで、本発明は、上述の技術的な課題に鑑み、乳児や幼児などのユーザーが取り扱っても怪我などの心配のない極めて安全な電子機器の提供を目的とする。
【０００９】
【課題を解決するための手段】
本発明の電子機器は、上述の課題を解決するため、柔軟な収容体と、前記収容体内に内蔵される柔軟な電子部品とからなることを特徴とする。本発明では所要な電子部品を包むための収容体が柔軟であり、且つ電子部品そのものも柔軟とされる。ここで本明細書において”柔軟”とは、特別に定義される用語であって、投げつけたり叩いたりしてもその素材が固いものとは感じられない程度の弾力性を有している状態を指し、例えば幼児が投げつけることを想定して、衝突した場合の衝撃（衝突時の撃力）が小さく抑えられることを言う。電子部品そのものが柔軟であることから、逆に収容体自身を必要以上に大きくする必要もなくなり、本発明の電子機器の小型化や軽量化を図ることが容易とされる。
【００１０】
本発明の電子機器に用いられる電子部品は、柔軟とされることから、可とう性を有するスピーカーと、可とう性を有する信号処理部とを含む構成とすることができ、また、この場合に信号処理部は可とう性を有するシート状の配線基板上に実装され、前記配線基板が巻回されて中空部を有して前記収納体内に搭載される構成にすることができる。更には、本発明の電子機器に用いられる電子部品は、電源としてのシート状ポリマー電池を含む構成とすることができる。
【００１１】
他の本発明の電子機器は、柔軟な収容体と、前記収容体内に内蔵される柔軟な電子部品と、前記収容体の表面に設けられる柔軟な表示部とからなることを特徴とする。この発明の電子機器では、所要な電子部品を包むための収容体と電子部品そのものが柔軟であり、更に収容体の表面に設けられる表示部も柔軟とされる。このため表示部を有する構成でありながら、全体的に柔軟な構造にでき、幼児が取り扱っても危険のない機器とされる。
【００１２】
【発明の実施の形態】
本発明の好適な実施形態を図面を参照しながら説明する。
【００１３】
［第１の実施形態］
本実施形態は、熊を模した縫いぐるみ形状の収容体１に音楽再生用の電子部品を搭載した例である。図１〜図４に熊の縫いぐるみ型電子機器の構成を示す。図１、図２は熊の縫いぐるみ型電子機器１０の収容体１を示しており、この収容体１は袋状の布の内部に単数又は複数のスポンジ等の充填物を配し外側を熊を模した形状としたものである。収容体１は、スポンジ等の充填物によって弾性を有するように構成されており、収容体１の外側を構成する布も柔らかい材料であることから、全体としては柔軟な収容体１とされる。収容体１は、熊の縫いぐるみの形状を有することから、頭部１ｆには一対の大きな耳１ｅ、１ｅが設けられ、頭部１ｆの中央やや上側には一対の眼１ｉ、１ｉが配されて、その一対の眼１ｉ、１ｉの下側には口部１ｍが形成されている。このような頭部１ｆの下側には胴体１ｂがやや膨らんだ形状で形成されており、その胴体１ｂから突出するように一対の手（前足）１ｈと、一対の足（後足）１ｌが形成されている。収容体１のこれらの各部はそれぞれ柔軟な構造体とされ、収納体１の内部には後述するような電子部品が配置される。収容体１の大きさは、幼児が取り扱いできるような例えば５ｃｍから５０ｃｍ程度の大きさであり、スポンジなどの充填物や内部に配置される電子部品も軽量であることから、全体でも軽量な装置である。
【００１４】
なお、本実施形態では、収容体１の構造を布の内部にスポンジなどを配置したものとして説明するが、本発明の収容体１としては、本実施形態のスポンジ以外にも他の柔軟な素材を使用することができ、例えば綿、毛糸、木綿、絹、織布、不織布、紙、ビロード、コールテン、皮、合成樹脂シート、フェルトなどの種々の素材を用いることができ、例えば収容体１を袋状の外側部材の内部に柔軟な材料を充填する場合では、綿、合成樹脂、発泡性合成樹脂材、気体や液体の封入された梱包材、ゲル状若しくは粘性を示す部材、プラスチックビーズ、穀物類等の殻などを充填材とすることが可能である。
【００１５】
図３は本実施形態の熊の縫いぐるみ型電子機器１０の内部を示す図である。本電子機器１０の内部には、音楽再生機能を実現するための電子部品が搭載されており、それそれ柔軟に構成されるスピーカー２と、オーディオ再生回路３と、電池４と、アンテナ５と、電気配線６とを有している。
【００１６】
スピーカー２は、薄型平板状のフィルム状スピーカーが使用され、例えばピエゾ素子からなる圧電素子をフィルム化した所謂ペーパースピーカーの如きフィルム状スピーカーやフレキシブルプリント基板上に導電材料によるコイルを形成し、平板状の磁石と対向させるフィルム状スピーカーなどが使用される。このフィルム状スピーカーの具体的な構造例については図７を参照しながら後述するが、全体としては可とう性を有した構造とされ、触ったり押したりしても適度の弾力性があって硬い感触が伝わらない。スピーカー２はそれぞれ収容体１の耳１ｅ、１ｅの内部に形成されるものとされ、略耳１ｅ、１ｅの中央部に配置される。スピーカー２のサイズは、必要な音量を出力できるサイズであれば良く、耳１ｅ、１ｅの全域に亘って形成することもでき、部分的に形成しても良い。また、音域ごとに異なる複数のスピーカーを設けても良い。
【００１７】
オーディオ再生回路部３は、後述する構造のポリイミドなどのフレキシブルプリント基板を用いた回路部であり、電気配線６を介してスピーカー２、２、電池４、及びアンテナ５に接続される。このオーディオ再生回路部３では電池４からの電源供給を受けて信号処理を行うように構成されており、例えばアンテナ５から無線ＬＡＮシステムなどに接続する場合には、インターネットを通じてダウンロードされたデータがオーディオ再生回路部３のメモリーに蓄積され、そのメモリー蓄積されている音楽情報などが遠隔操作などによって再生されて再生信号がスピーカー２、２によって出力される。このオーディオ再生回路部３はメモリーやＣＰＵ、信号処理用ＩＣなどの複数のデバイスをフレキシブルプリント基板上に実装し、さらにそれを円筒形に丸めて電子機器１０内に配したものである。
【００１８】
オーディオ再生回路部３は、所要の可とう性を有するフレキシブルプリント基板を用いた回路部であることから、収容体１の外側から押された場合でも円筒状の基板部分が弾力性を以ってへこむことで柔らかな感触を収容体１の外部に現すことができる。また、オーディオ再生回路部３を円筒状とすることで角張った感覚を内部から取り除き、収容体１の外部に角張った感覚を与えないと言う利点もある。
【００１９】
このオーディオ再生回路部３には電池４から所要の給電が行われる。特に本実施形態において、電池４はシート状ポリマー電池を使用するものとされる。例えば、シート状ポリマー電池は、固体電解質層をシート状正極とシート状負極が挟むような構造を有するものであり、固体電解質層は例えば非水溶媒と、電解質塩と、固体電解質とからなる。このようなシート状ポリマー電池については、例えば特開２００１−８３９１７号公報に記載されるものがあり、また、この公報に記載される技術に限定されず、可とう性を有し、軽量で小型の電池であれば種々の電池を用いることができる。この電池４はシート状であるため、筒状に丸めた形でシートの内側に空洞ができることになる。このため当該電池４を押した場合には、ポリマー電池のシート材も弾性変形して、柔軟な感覚を使用者に与えることができる。この電池４の内部には、所要の充電制御部を設けることも可能であり、アンテナ５を介して外部から供給される電力を当該電池４に蓄積することも可能である。また、電池４を円筒状とすることで角張った感覚を内部から取り除くと言う利点もある。
【００２０】
アンテナ５は、電池４に外部から電力を供給させる場合に用いられると共に、オーディオ再生回路部３に外部から無線信号を送ることも可能である。このアンテナ５を用いることで外部の電力供給源に接触することなく電力を外部から得ることが可能となる。このアンテナ５の内部には、コイルなどの電磁誘導部を形成しても良く、その場合には電磁誘導部で生成された電力が電池４に供給される。このアンテナ５は例えば図２の尻尾１ｔの位置に対応するように形成される。
【００２１】
電気配線６は所要のリード線などの配線であり、フレキシブルで軽量な材料で形成される。電気配線６は前述のオーディオ再生回路部３と共通のポリイミドなどのフレキシブル基板を延長させても良く、光通信用に光ファイバーなどの部材を用いることも可能である。
【００２２】
次に、図５を参照しながら、リモートコントローラー１１について説明する。図５に示すリモートコントローラー１１は、操作ボタン１２が表面に設けられており、表示パネル１３には各種のインジケータ部が設けられている。具体的には、巻戻し表示部１５、再生表示部１６、早送り表示部１７、曲番表示部１９、時間表示部２０、曲名表示部２１、信号強度表示部１４、音量表示部１８などの各種表示部が形成され、前記操作ボタン１２を例えばカーソルを合わせるようにして操作すれば、それぞれについて制御可能とされる。このようなリモートコントローラー１１を設けることで、特に熊の縫いぐるみ型電子機器１０には、制御部を設けない構造でも当該電子機器１０を制御することができ、縫いぐるみ型電子機器１０の全体を柔軟に保つのに寄与することになる。リモートコントローラー１１からの制御信号は、例えばアンテナ５で受信されてオーディオ再生回路部３に入力されることになるが、他の受信部などを設けるように構成することも可能である。また、図５に示した例は、音楽の再生モード時の表示画面であるが、前述のように、オーディオ情報をインターネットを経由してダウンロードすることも可能であり、オーディオ再生回路部３の図示しないメモリ部に所要のオーディオ情報を蓄積し必要な時に再生することが可能である。
【００２３】
図６は本実施形態の縫いぐるみ型電子機器１０の回路構成を示す図である。図６に示すように本実施形態の縫いぐるみ型電子機器１０には、アンテナ２１が設けられ、そのアンテナ２１には受信部２２が接続される。この受信部２２で所要の増幅が行われ、信号がマイコン２４に送られる。このマイコン２４では信号処理が行われて生成された再生信号は音楽再生部２５に送られる。この音楽再生部２５はスピーカーに接続されており、音楽再生部２５から再生信号に応じてスピーカーが音を出すことになる。
【００２４】
本実施形態の縫いぐるみ型電子機器１０では、音楽再生に例えば薄型平板状のフィルム状スピーカーが使用されるが、その具体的な一例について図７を参照しながら説明する。このフィルム状スピーカーは、一対の平板状の筐体３１、３７の間に、上から順にそれぞれ柔軟な平板状のゴム磁石３２、緩衝材３３、振動板３４、緩衝材３５、ゴム磁石３６が積層された構造を有している。ゴム磁石３２、３６は振動板３４を磁場内に存在させるための磁束発生手段であり、振動板３４は、フレキシブルプリント基板上にコイルを印刷したものであって、再生信号をコイルの巻線に供給することで所要の振動が発生する。一対の平板状の筐体３１、３７も比較的柔軟な材料で作製することができ、図示のように多数の孔が設けられた薄いゴム板、合成樹脂板、あるいは網状に形成されるゴム板、合成樹脂板、不織布などによって作製するようにしても良い。この薄型平板状のフィルム状スピーカーは、それぞれの構成要素、筐体３１、３７、ゴム磁石３２、３６、緩衝材３３、３５振動板３４がそれぞれ可とう性を有する材料からなることから、積層された構造であっても曲げることが可能であり、例えば縫いぐるみ型電子機器１０の耳１ｅ、１ｅの部分に配置することで、固いスピーカーを配置する場合に比べて耳１ｅ、１ｅの部分を押したり曲げたりしても外部に固い感触が伝わることなく、十分に柔らかい感触を使用者に与えることができる。
【００２５】
薄型平板状のフィルム状スピーカーの他の例としては、圧電性高分子材料と導電性高分子材料を組み合わせたスピーカーであり、圧電性高分子材料として例えばポリフッ化ビニリデンを用い、導電性高分子材料として例えば高分子マトリックスとポリピロールポリアニリンの複合化によって得られた膜が使用される。ここで高分子マトリックスは、ナイロン、ポリ塩化ビニル、ポリビニルアルコールなどのポリマーである。圧電性高分子材料を導電性高分子材料で挟むことでスピーカーが構成される。このようなフィルム状スピーカーの作製法としては、ポリフッ化ビニリデンフィルムの両面上にＦｅＣｌ３を含むポリビニルアルコールを塗布し、ピロールの蒸気と接触させて導電性ポリピロールを形成する。次に両端を固定することで、フィルム状スピーカーが作製され、両面に電圧を印加することでフィルム状スピーカーとして音が出ることになる。
【００２６】
本実施形態の縫いぐるみ型電子機器１０に実装されるオーディオ再生回路部の一例について図８の（ａ）から（ｃ）を参照しながら説明する。このオーディオ再生回路部では、略平板状のフレキシブルプリント基板４１が用いられており、そのフレキシブルプリント基板４１の表面に実装される形で信号処理用ＩＣ４２、４３が取り付けられている。信号処理用ＩＣ４２、４３は、ＣＰＵやメモリなどのＩＣでも良く、その他の抵抗やコンデンサなどの各種電子部品をフレキシブルプリント基板４１上に実装しても良い。信号処理用ＩＣ４２、４３は配線４４によって電気的に接続され、前述のようにアンテナや電池にも接続される。
【００２７】
このオーディオ再生回路部は、図８の（ｂ）に示すようにフレキシブルプリント基板４１をそのまま円筒形に丸めることが可能である。このようにフレキシブルプリント基板４１を円筒形に丸めることで、内側に空洞部４５が形成される。この空洞部４５は、図８の（ｃ）に示すように、例えばフレキシブルプリント基板４１の側部４１ｂを押した場合に、フレキシブルプリント基板４１が押された部分でへこみ、そのフレキシブルプリント基板４１の可とう性と内側が空洞部４５である点とが相俟って十分な柔軟性を示すことができる。
【００２８】
このような構成を有する縫いぐるみ型電子機器１０は、外部の収容体１が柔軟であると共に内部の電子部品であるスピーカー２、オーディオ再生回路３、電池４、アンテナ５、電気配線６が接続されて設けられており、これらスピーカー２、オーディオ再生回路３、電池４はそれぞれ可とう性を有するため、縫いぐるみ形状の電子機器１０の外側から押したり叩いたりしても固い感覚を受けることがない。図９は幼児の睡眠の様子を示す図であり、布団５２上で寝ている幼児５１の頭の近くに縫いぐるみ型電子機器１０が配置されている。この状態で幼児５１は寝返りをうったりして、布団５２上で動くこともあるが、縫いぐるみ型電子機器１０は全体的に柔軟であり、例えば手を布団５２上で投げ打つようにした際に縫いぐるみ型電子機器１０にぶつかっても衝撃が抑えられ、幼児５１は痛さを感ずることなくその睡眠を継続させることができる。縫いぐるみ型電子機器１０は音声再生機能を有していることから、音楽や音声を自由に選択して聞かせることができ、乳児や幼児のお気に入りの音楽を枕元等で流し、寝かしつける時や機嫌が良くない時に極めて便利である。
【００２９】
本実施形態の縫いぐるみ型電子機器１０は、その熊の縫いぐるみ型と言う特徴から、置物や玩具として利用できることは勿論であるが、特に年齢が低い者が利用者となる場合でも安全に使用できると言う更なる利点を有している。すなわち、図１０に示すように、幼児５３は、通常は撫でたり抱っこしたりして遊ぶことになるものの、縫いぐるみ型電子機器１０を時には投げつけたり或いは叩いたりすることがある。このような場合であっても、本実施形態の縫いぐるみ型電子機器１０は、全体的に柔軟であって、特に内部に実装される電子部品も柔軟性を有していることから、例えば他の人にぶつかるようなことが発生しても怪我などの発生しない柔らかな接触で済むことになり、安全性を確保しながら幼児を遊ばせることができる。
【００３０】
なお、本実施形態の縫いぐるみ型電子機器１０は、オーディオ再生機能を主たる機能としているが、柔軟な画像表示装置を設けたり柔軟な電子部品を用いて画像を投影させることによる画像表示機能を持たせたり、タイマーなどを搭載させて目覚まし機能やアラーム機能を付加したり、外側から発光した光がわかるように小さな柔軟性を妨げない程度の発光素子などを配設したり、音声やオーディオの録音機能や撮像機能を付加したりすることも可能である。
【００３１】
また、本実施形態の電子機器１０は熊の縫いぐるみ型の外形形状を有しているが、これは一例に過ぎず、他の動物、鳥類、魚類、爬虫類、両性類、恐竜などの古代生物類、人間、キャラクター、ロボット、自動車、飛行機、列車、船舶などの輸送用機械、その他の玩具或いはその他の物としての形態を有するものであれば、本発明の電子機器は特にその外形形状には限定されない。
【００３２】
［第２の実施形態］
本実施形態は携帯型音楽録音再生用電子機器の例であり、図１１乃至図１５を参照しながら、本実施形態の携帯型音楽録音再生用電子機器６０について説明する。図１１は本実施形態の携帯型音楽録音再生用電子機器６０の上面図であり、音楽再生用に種々のボタンや表示部を備えた構成となっている。具体的には、柔軟な材料によって構成される筐体５９の表面に可とう性を有するフレキシブル表示パネル６９が取り付けられており、フレキシブル表示パネル６９内の表示部としては、何番目の曲かを数字で表示する曲数表示部７３と、曲のタイトルや更には歌手若しくは演奏家名を表示させる曲タイトル表示部７２と、出力される音量の大きさを帯状のレベルメータで表示する音量表示部７１と、現時点での曲の進行時間を表示する曲経過時間表示部７０と、電池の残りの量を表示する電池形状の電池残量表示部６８とが設けられている。
【００３３】
また、筐体５９の表面には、この携帯型音楽録音再生用電子機器６０を制御するための各種ボタンが設けられており、具体的には、録音や再生などのモードを切り替えるためのモード切替ボタン６１と、音量を減らすための音量−（マイナス）ボタン６２と、音量を増やすための音量＋（プラス）ボタン６３と、記録されているデータを時間的に逆行させる巻戻しボタン６４と、記録されているデータの再生を開始する再生ボタン６５と、記録されているデータの早送りをするための早送りボタン６６と、データ再生や送りの停止を行う停止ボタン６７とを備えて構成されている。なお、これらボタン６１〜６６も柔軟性を有する構造を有しており、柔軟な筐体５９の表面に印刷を施したものであっても良く、筐体５９とは異なる柔軟なものを貼り付けたり、縫い合わせ若しくは接着したものであっても良い。
【００３４】
このような筐体５９の表面部分をその裏面から図示した図が図１２である。フレキシブル表示パネル６９は、例えば有機トランジスタを表示制御素子とする画像表示デバイスとすることが可能であり、有機トランジスタを用いることで当該フレキシブル表示パネル６９を曲げたり丸めたりすることができる。図１２において、フレキシブル表示パネル６９の裏面６９ｂには、図示しない配線パターンが形成されると共に薄膜の有機トランジスタも形成される。また、各種操作ボタンに対応してそれぞれタッチセンサー群６１ａ、６２ｂ、６４ａが設けられている。タッチセンサー群６１ａはモード切替ボタン６１用であり、タッチセンサー群６２ｂは音量の制御のための音量−（マイナス）ボタン６２と、音量＋（プラス）ボタン６３に用いられ、タッチセンサー群６４ａは、巻戻しボタン６４、再生ボタン６５、早送りボタン６６、及び停止ボタン６７の信号伝達のために用いられる。これらのフレキシブル表示パネル６９の裏面６９ｂ、タッチセンサー群６１ａ、６２ｂ、６４ａは、次に説明する内部回路に電気的に接続される。
【００３５】
図１３は本実施形態の携帯型音楽録音再生用電子機器６０の回路構成を示す図である。電源用アンテナ８１が設けられており、その電源用アンテナ８１に接続して電池８２が形成されている。電池８２は、例えば、前述の如きシート状ポリマー電池を使用するものとされる。例えば、シート状ポリマー電池は、固体電解質層をシート状正極とシート状負極が挟むような構造を有するものであり、固体電解質層は例えば非水溶媒と、電解質塩と、固体電解質とからなる。このようなシート状ポリマー電池については、例えば特開２００１−８３９１７号公報に記載されるものがあり、また、この公報に記載される技術に限定されず、可とう性を有し、軽量で小型の電池であれば他の種々の電池を用いることができる。
【００３６】
さらに、本実施形態の携帯型音楽録音再生用電子機器６０は、音楽信号を記録したり再生する信号を発生させるための音楽録音再生回路部８５を有している。この音楽録音再生回路部８５は、信号処理などを行うマイコン８７に音楽データを格納できるメモリ８８と音楽再生部８９が接続され、一対のスピーカー８３、８３が音楽再生部８９からの信号を受けて作動する。マイコン８７は受信部９２を介して受信用アンテナ９０に接続されており、外部から送信されたデータを受信部９２で取り出し、マイコン８７を用いて信号処理を進めることができる。また、音楽再生部８９からの信号はヘッドホン用送信アンテナ９１にも送られ、そのヘッドホン用送信アンテナ９１からのワイヤレス信号を受けてヘッドホン８４に信号を送ることもできる。
【００３７】
ここで一対のスピーカー８３、８３は、前述のように、フレキシブルプリント基板上にコイルを印刷した振動板を薄い磁石板で挟んだ薄型平板状のフィルム状スピーカーや、圧電性高分子材料と導電性高分子材料を組み合わせたスピーカーを用いることができる。これらのスピーカー８３、８３は小型で軽量であり、可とう性を有している。また、マイコン８７やメモリ８８などの半導体素子は、他のチップと共に音楽録音再生回路部８５の一部として設けられるフレキシブルプリント基板上に配することができ、フレキシブルプリント基板は柔軟であることから、音楽録音再生回路部８５自体を柔軟にさせることができる。
【００３８】
図１４は本実施形態の携帯型音楽録音再生用電子機器６０の底面図であり、携帯型音楽録音再生用電子機器６０の底面５９ｂは、筐体５９と同一の材料を延在させて構成される。
【００３９】
この携帯型音楽再生用電子機器６０の操作方法について簡単に説明すると、受信用アンテナ９０を通じて無線でデータをパソコンなどからダウンロードすることができ、ダウンロードしたデータは、メモリ８８に蓄積される。巻戻しボタン６４、再生ボタン６５、早送りボタン６６、及び停止ボタン６７からの操作命令がタッチセンサー群６４ａを介してマイコン８７に送られ、再生などの処理が行われる。例えば、再生の場合では、再生ボタン６５が押され、タッチセンサー群６４ａの再生ボタン６５に対応したタッチセンサーからマイコン８７に信号が送られる。これに応じてメモリ８８に蓄積されていた音楽データが音楽再生部８９に送信され、スピーカー８３、８３若しくはヘッドホン使用時にはヘッドホン用送信アンテナ９１を介して送信されてヘッドホン８４から音楽が再生される。
【００４０】
このような携帯型音楽再生用電子機器６０は、筐体５９が例えばゴムや発泡性合成樹脂材の如き比較的に柔軟な材料によって構成される。筐体５９は柔軟性のある単一材料を用いて構成しても良く、それぞれ柔軟な材料を組み合わせて構成しても良い。更にこのように柔軟な筐体５９に取り付けられるフレキシブル表示パネル６９も可とう性を有している。このため本実施形態の携帯型音楽再生用電子機器６０は、フレキシブル表示パネル６９の可とう性と筐体５９の柔軟性から機器全体が比較的に柔軟な構造となり、使用者が曲げたりした場合では、図１５に示すように変形させることが可能である。図１５では、本実施形態の携帯型音楽録音再生用電子機器６０が曲げられている状態を示しているが、このような態様でも音楽再生や音楽録音などが可能である。特に、本実施形態の携帯型音楽録音再生用電子機器６０では、筐体５９の内部に実装される各種電子部品、例えば電池８２、スピーカー８３、８３、及び音楽録音再生回路部８５が夫々柔軟であることから、機器全体を更に柔軟な構造に保つことができ、従って、本実施形態の携帯型音楽録音再生用電子機器６０を落としたりしても壊れることがなく、また、携帯型音楽録音再生用電子機器６０が人にぶつかるようなことがあっても怪我などの発生を抑えることができる。
【００４１】
なお、本実施形態では、筐体の形状を矩形状若しくはカード状としているが、使い易く身に付けても気にならない形状であれば、形や大きさは他のものであっても良い。
【００４２】
［第３の実施形態］
本実施形態は、本体とリモコンが分かれた構造の携帯型音楽録音再生用電子機器である。図１６、図１７に電子機器用のリモコンを示し、図１８、図１９に音楽録音再生用電子機器の本体を示す。
【００４３】
電子機器用のリモコンは、図１６、図１７に示すように、本実施形態の電子機器用のリモコン１００の上面図であり、音楽再生用に種々のボタンや表示部を備えた構成となっている。具体的には、柔軟な材料によって構成される筐体９９の表面に可とう性を有するフレキシブル表示パネル１０９が取り付けられており、フレキシブル表示パネル１０９内の表示部としては、何番目の曲かを数字で表示する曲数表示部１１３と、曲のタイトルや更には歌手若しくは演奏家名を表示させる曲タイトル表示部１１２と、出力される音量の大きさを帯状のレベルメータで表示する音量表示部１１１と、現時点での曲の進行時間を表示する曲経過時間表示部１１０と、電池の残りの量を表示する電池形状の電池残量表示部１０８とが設けられている。
【００４４】
また、筐体９９の表面には、この音楽録音再生用電子機器を制御するための各種ボタンが設けられており、具体的には、録音や再生などのモードを切り替えるためのモード切替ボタン１０１と、音量を減らすための音量−（マイナス）ボタン１０２と、音量を増やすための音量＋（プラス）ボタン１０３と、記録されているデータを時間的に逆行させる巻戻しボタン１０４と、記録されているデータの再生を開始する再生ボタン１０５と、記録されているデータの早送りをするための早送りボタン１０６と、データ再生や送りの停止を行う停止ボタン１０７とを備えて構成されている。なお、これらボタン１０１〜１０６も柔軟性を有する構造を有しており、柔軟な筐体５９の表面に印刷を施したものであっても良く、筐体９９とは異なる柔軟なものを貼り付けたり、縫い合わせ若しくは接着したものであっても良い。
【００４５】
なお、このようなリモコン１００は基本的には柔軟な構造とされるが、本実施形態のように、電子機器本体とリモコン１００が分離される場合、リモコン１００の筐体９９は固い素材であっても良い。
【００４６】
次に、図１８、図１９を参照しながら、音楽録音再生用電子機器の本体を説明する。携帯型音楽録音再生用電子機器本体１１９の構成を示す図である。電子回路が筐体１２０の内部に搭載されるように構成されている。電源用アンテナ１２１が設けられており、その電源用アンテナ１２１に接続して電池１２２が形成されている。電池１２２は、例えば、前述の如きシート状ポリマー電池を使用するものとされる。
【００４７】
さらに、本音楽録音再生用電子機器本体１１９は、音楽信号を記録したり再生する信号を発生させるための音楽録音再生回路部１２４を有している。この音楽録音再生回路部１２４は、信号処理などを行うマイコン１２７に音楽データを格納できるメモリ１２８と音楽再生部１２９が接続され、一対のスピーカー１２３、１２３が音楽再生部１２９からの信号を受けて作動する。マイコン１２７は受信部１３２を介して受信用アンテナ１３０に接続されており、外部から送信されたデータを受信部１３２で取り出し、マイコン１２７を用いて信号処理を進めることができる。また、音楽再生部１２９からの信号はヘッドホン用送信アンテナ１３１にも送られ、そのヘッドホン用送信アンテナ１３１からのワイヤレス信号を受けてヘッドホンに信号を送ることもできる。
【００４８】
ここで一対のスピーカー１２３、１２３は、前述のように、フレキシブルプリント基板上にコイルを印刷した振動板を薄い磁石板で挟んだ薄型平板状のフィルム状スピーカーや、圧電性高分子材料と導電性高分子材料を組み合わせたスピーカーを用いることができる。これらのスピーカー１２３、１２３は小型で軽量であり、可とう性を有している。また、マイコン１２７やメモリ１２８などの半導体素子は、他のチップと共に音楽録音再生回路部１２４の一部として設けられるフレキシブルプリント基板上に配することができ、フレキシブルプリント基板は柔軟であることから、音楽録音再生回路部１２４自体を柔軟にさせることができる。
【００４９】
図１９は本実施形態の携帯型の音楽録音再生用電子機器の本体の底面図であり、携帯型音楽録音再生用電子機器の底面は、筐体１２０の一部であり、ここでは布製の柔軟な材料を延在させて構成される。なお、本電子機器の操作は、本体とリモコンが分離し、その部分がワイヤレス通信となることを除いて第２の実施形態と同様であり、ここでは重複した説明を省略する。
【００５０】
このような携帯型の電子機器本体１１９は、筐体１２０が比較的に柔軟な材料によって構成される。本実施形態の電子機器本体１１９では、筐体１２０の内部に実装される各種電子部品、例えば電池１２２、スピーカー１２３、１２３、及び音楽録音再生回路部１２４が夫々柔軟であることから、機器全体を更に柔軟な構造に保つことができ、従って、本実施形態の携帯型電子機器本体１１９を落としたりしても壊れることがなく、また、携帯型電子機器本体１１９が人にぶつかるようなことがあっても怪我などの発生を抑えることができる。
【００５１】
また、このような本体とリモコンが分離するタイプの電子機器の場合は、フレキシブル・ネットオーディオの操作ができない、もしくは操作が困難な人（例えば、乳児・幼児、寝たきりの老人等）でも操作を他の人（親や介護者）がする事で、本体を近くにおき、音楽を楽しむ事ができる。なお、本実施形態で全体形状はカード型にしているが、乳児・幼児が使用する場合は、形状をぬいぐるみ等にして親しみやすくしてもよい。他にも、枕に搭載する事もでき、またクッションのように枕もとにおき、寝ながら音楽を楽しみ事もできる。
【００５２】
【発明の効果】
本発明によれば、柔らかく、軽いオーディオ装置を実現する事ができる。柔らかく軽いため、乳児、幼児が思いっきりぶつかったり、抱きしめたりしても、怪我をする可能性が減少する。更に、オーディオ機能が搭載される事で、音楽や音声を自由に選択する事ができ、乳児・幼児にお気に入りの音楽を枕もと等で、寝かしつけるときや機嫌が悪いときに聞かせる事などもできる。タイマー制御も可能な為、寝付く頃合に音楽を停止させる、もしくは目覚まし時計としても使用することができる。柔らかく・軽いため、携帯も可能であり、枕もとに置いて、顔や身体にあたっても固い感触を感じないフレキシブル・ネットオーディオ機器であるので、利用者は、乳児・幼児に限定される事なく、万人が楽しむ事ができる。
【図面の簡単な説明】
【図１】本発明の第１の実施形態の電子機器の正面図である。
【図２】本発明の第１の実施形態の電子機器の背面図である。
【図３】本発明の第１の実施形態の電子機器の内部概略構成を示す図である。
【図４】本発明の第１の実施形態の電子機器の内部概略構成を一部破断して示す図である。
【図５】本発明の第１の実施形態の電子機器のリモートコントローラーを示す模式図である。
【図６】本発明の第１の実施形態の電子機器の回路構成を示す図である。
【図７】本発明の第１の実施形態の電子機器に用いられるフィルム状スピーカの構造例を示す分解斜視図である。
【図８】本発明の第１の実施形態の電子機器に用いられるオーディオ再生回路部の構成例を示す斜視図である。
【図９】幼児が本発明の第１の実施形態の電子機器を枕元において睡眠している様子を示す図である。
【図１０】他の幼児が本発明の第１の実施形態の電子機器を投げてている様子を示す図である。
【図１１】本発明の第２の実施形態の電子機器の上面図である。
【図１２】本発明の第２の実施形態の電子機器の表示パネル裏面を示す図である。
【図１３】本発明の第２の実施形態の電子機器の内部構成を示す模式図である。
【図１４】本発明の第２の実施形態の電子機器の底面図である。
【図１５】本発明の第２の実施形態の電子機器を曲げたところを示す斜視図である。
【図１６】本発明の第３の実施形態の電子機器用リモコンの上面図である。
【図１７】本発明の第３の実施形態の電子機器用リモコンの底面図である。
【図１８】本発明の第３の実施形態の電子機器本体の上面図である。
【図１９】本発明の第３の実施形態の電子機器本体の底面図である。
【符号の説明】
１　収容体
２　スピーカー
３　オーディオ再生回路部
４　電池
５　アンテナ
６　電気配線
４１　フレキシブルプリント基板
４２、４３　信号処理用ＩＣ
４５　空洞部
５９、９９、１２０　筐体
６１、１０１モード切替ボタン
６２、１０２　音量−（マイナス）ボタン
６３、１０３　音量＋（プラス）ボタン
６４、１０４　巻戻しボタン
６５、１０５　再生ボタン
６６、１０６　早送りボタン
６７、１０７　停止ボタン
６８、１０８　電池残量表示部
６９、１０９　フレキシブル表示パネル
７０，１１０　曲経過時間表示部
７１、１１１　音量表示部
７２、１１２　曲タイトル表示部
７３、１１３　曲数表示部
８２、１２２　電池
８３、１２３　スピーカ
８４　ヘッドホン
８５、１２４　音楽録音再生回路部
８７、１２７　マイコン
８８、１２８　メモリ
８９、１２９　音楽再生部
９０、１３０　受信用アンテナ
９２、１３２　受信部
１００　リモコン
１１９　電子機器本体
【図１】
2004024383.tif 000003
【図２】
2004024383.tif 000004
【図３】
2004024383.tif 000005
【図４】
2004024383.tif 000006
【図５】
2004024383.tif 000007
【図６】
2004024383.tif 000008
【図７】
2004024383.tif 000009
【図８】
2004024383.tif 000010
【図９】
2004024383.tif 000011
【図１０】
2004024383.tif 000012
【図１１】
2004024383.tif 000013
【図１２】
2004024383.tif 000014
【図１３】
2004024383.tif 000015
【図１４】
2004024383.tif 000016
【図１５】
2004024383.tif 000017
【図１６】
2004024383.tif 000018
【図１７】
2004024383.tif 000019
【図１８】
2004024383.tif 000020
【図１９】
2004024383.tif 000021